(57)【要約】      （修正有）【課題】複数のコイル部を備え、コイル部間の結合係数が小さく、実装面積も小さいインダクタを提供する。【解決手段】複数のコイル部は、第１水平方向（Ｘ方向）に並んでいる。各コイル部の第１連結ピン２３０は、磁性コア部を貫通して、入力端子２１０と上側導電体２５０とを接続する。第２連結ピン２４０は、磁性コア部を貫通して、出力端子２２０と上側導電体２５０とを接続する。低透磁率部４０は、コイル部に夫々対応している。低透磁率部４０は、磁性コア部の透磁率よりも低い透磁率を有している。低透磁率部４０は、上下方向（Ｚ方向）において磁性コア部を貫通し、対応するコイル部の第１連結ピン２３０から第２連結ピン２４０まで延びている。【選択図】図３
2019212806.tif 000002
【特許請求の範囲】
【請求項１】
複数のコイル部と、前記コイル部に共通の磁性コア部と、複数の低透磁率部とを備えるインダクタであって、
前記磁性コア部は、上面及び下面を有する板状のものであり、
前記コイル部の夫々は、入力端子と、出力端子と、第１連結ピンと、第２連結ピンと、上側導電体とを有しており、
前記入力端子と前記出力端子は、前記磁性コア部の前記下面上にあり、
前記上側導電体は、前記磁性コア部の前記上面上にあり、
前記第１連結ピンは、上下方向において前記磁性コア部を貫通して、前記入力端子と前記上側導電体とを接続しており、
前記第２連結ピンは、前記上下方向において前記磁性コア部を貫通して、前記出力端子と前記上側導電体とを接続しており、
全ての前記第１連結ピンは、前記上下方向と直交する第１水平方向に並んでおり、
全ての前記第２連結ピンは、前記第１水平方向に並んでおり、
全ての前記上側導電体は、前記第１水平方向に並んでおり、
前記低透磁率部は、前記磁性コア部の透磁率よりも低い透磁率を有しており、
前記低透磁率部は、前記コイル部に夫々対応しており、
前記低透磁率部は、前記上下方向において前記磁性コア部を貫通しており、
前記低透磁率部の夫々は、対応する前記コイル部の前記第１連結ピンから前記第２連結ピンまで延びている
インダクタ。
【請求項２】
請求項１に記載のインダクタであって、
前記磁性コア部は、前記上下方向及び前記第１水平方向の双方と直交する第２水平方向において、複数の部品の組み合わせで構成されている
インダクタ。
【請求項３】
請求項２に記載のインダクタであって、
前記低透磁率部は、樹脂板を有している
インダクタ。
【請求項４】
請求項３に記載のインダクタであって、
前記複数の部品の数は二つであり、
前記樹脂板は、前記二つの部品にまたがって設けられている
インダクタ。
【請求項５】
請求項１から請求項４のうちのいずれか一つに記載のインダクタであって、
前記磁性コア部は、軟磁性金属粉末をバインダで結着させたものであり、
前記軟磁性金属粉末は、扁平形状を有しており、
前記バインダは、無機酸化物を主成分とするものである
インダクタ。
【請求項６】
請求項１から請求項５のうちのいずれか一つに記載のインダクタであって、
前記低透磁率部の夫々は、前記第１水平方向において、前記第１連結ピン及び前記第２連結ピンよりも小さいサイズを有している
インダクタ。
【請求項７】
請求項１から請求項６のうちのいずれか一つに記載のインダクタにおいて、
前記低透磁率部の夫々は、前記上下方向及び前記第１水平方向の双方と直交する第２水平方向において、前記コイル部の前記第１連結ピンから前記第２連結ピンまで延びている
インダクタ。
【発明の詳細な説明】
【技術分野】
【０００１】
本発明は、インダクタに関し、特に複数のコイル部を備えるインダクタに関する。
【背景技術】
【０００２】
電子機器用のＰＯＬ（Point Of Load）電源として、マルチフェーズＤＣ−ＤＣコンバータが知られている。マルチフェーズＤＣ−ＤＣコンバータは、フェーズ数に応じた複数のインダクタを必要とする。ここで、複数のインダクタを回路基板上に個別に実装すると、大きな実装面積が必要となり、結果的に負荷までの配線長も長くなる。そこで、実装面積を縮小し、負荷までの配線長を短縮しようと、複数のインダクタ（コイル部）を一体にパッケージしたマルチフェーズインダクタ（インダクタ）が開発されている。
【０００３】
特許文献１は、複数のコイル部を備えるインダクタ（面実装マルチフェーズインダクタ）を開示している。開示されたインダクタにおいて、複数のコイル部は、それらの巻軸が互いに平行になるように、巻軸と直交する方向に沿って一列に並べられている。この構成によれば、複数のコイル部を互いに近接配置してもコイル部間の結合係数を小さく抑えることができる。その結果、コイル部は夫々の機能を適切に果たすことができる。
【先行技術文献】
【特許文献】
【０００４】
【特許文献１】特開２０１３−２１１３３０号公報
【発明の概要】
【発明が解決しようとする課題】
【０００５】
特許文献１に開示されたインダクタに含まれるコイル部の夫々において、巻軸と直交する方向の寸法は、巻軸に沿った方向の寸法よりも大きい。そのため、特許文献１のインダクタは、比較的大きい実装面積を必要とするという問題点がある。
【０００６】
上記問題点は、巻軸が互いに一致するように複数のコイル部を配置することで解決されるが、そのような構成は、コイル間の結合係数を大きくし、機能低下を招く。
【０００７】
そこで、本発明は、複数のコイル部を備えるインダクタであって、コイル部間の結合係数が小さく、実装面積も小さいインダクタを提供することを目的とする。
【課題を解決するための手段】
【０００８】
本発明は、第１のインダクタとして、複数のコイル部と、前記コイル部に共通の磁性コア部と、複数の低透磁率部とを備えるインダクタであって、
前記磁性コア部は、上面及び下面を有する板状のものであり、
前記コイル部の夫々は、入力端子と、出力端子と、第１連結ピンと、第２連結ピンと、上側導電体とを有しており、
前記入力端子と前記出力端子は、前記磁性コア部の前記下面上にあり、
前記上側導電体は、前記磁性コア部の前記上面上にあり、
前記第１連結ピンは、上下方向において前記磁性コア部を貫通して、前記入力端子と前記上側導電体とを接続しており、
前記第２連結ピンは、前記上下方向において前記磁性コア部を貫通して、前記出力端子と前記上側導電体とを接続しており、
全ての前記第１連結ピンは、前記上下方向と直交する第１水平方向に並んでおり、
全ての前記第２連結ピンは、前記第１水平方向に並んでおり、
全ての前記上側導電体は、前記第１水平方向に並んでおり、
前記低透磁率部は、前記磁性コア部の透磁率よりも低い透磁率を有しており、
前記低透磁率部は、前記コイル部に夫々対応しており、
前記低透磁率部は、前記上下方向において前記磁性コア部を貫通しており、
前記低透磁率部の夫々は、対応する前記コイル部の前記第１連結ピンから前記第２連結ピンまで延びている
インダクタを提供する。
【０００９】
また、本発明は、第２のインダクタとして、第１のインダクタであって、
前記磁性コア部は、前記上下方向及び前記第１水平方向の双方と直交する第２水平方向において、複数の部品の組み合わせで構成されている
インダクタを提供する。
【００１０】
また、本発明は、第３のインダクタとして、第２のインダクタであって、
前記低透磁率部は、樹脂板を有している
インダクタを提供する。
【００１１】
また、本発明は、第４のインダクタとして、第３のインダクタであって、
前記複数の部品の数は二つであり、
前記樹脂板は、前記二つの部品にまたがって設けられている
インダクタを提供する。
【００１２】
また、本発明は、第５のインダクタとして、第１から第４のインダクタのいずれかであって、
前記磁性コア部は、軟磁性金属粉末をバインダで結着させたものであり、
前記軟磁性金属粉末は、扁平形状を有しており、
前記バインダは、無機酸化物を主成分とするものである
インダクタを提供する。
【００１３】
また、本発明は、第６のインダクタとして、第１から第５のインダクタのいずれかであって、
前記低透磁率部の夫々は、前記第１水平方向において、前記第１連結ピン及び前記第２連結ピンよりも小さいサイズを有している
インダクタを提供する。
【００１４】
さらに、本発明は、第７のインダクタとして、第１から第６のインダクタのいずれかであって、
前記低透磁率部の夫々は、前記上下方向及び前記第１水平方向の双方と直交する第２水平方向において、対応する前記コイル部の前記第１連結ピンから前記第２連結ピンまで延びている
インダクタを提供する。
【発明の効果】
【００１５】
本発明のインダクタにおいて、複数のコイル部は、全ての第１連結ピン、全ての第２連結ピン及び全ての上側導電体が、夫々、第１水平方向に並ぶように磁気コア部に設けられている。換言すると、複数のコイル部は、巻軸が互いに一致するように第１水平方向に並べられている。各コイル部において、巻軸に沿った方向の寸法は、巻軸と直交する方向の寸法に比べて小さいので、インダクタの実装面積を小さくすることができる。また、低透磁率部は、磁気コア部を貫通し、第１連結ピンから第２連結ピンまで延びている。これにより、コイル部同士の結合係数を小さくすることができる。
【図面の簡単な説明】
【００１６】
【図１】本発明の一実施の形態によるインダクタを示す斜視図である。
【図２】図１のインダクタを示すＡ−Ａ線断面図である。
【図３】図１のインダクタを示す部分断面斜視図である。
【図４】図１のインダクタに含まれる磁気コア部を示す斜視図である。
【図５】図４の磁気コア部に生じる磁束を説明するための斜視図である。
【図６】図１のインダクタに含まれる磁気コア部の製造方法の一例を説明するための図であって、軟磁性金属粉末を含む成型体を示す斜視図である。
【図７】図６の成型体から作製される焼結体部品を示す斜視図である。
【図８】図７の焼結体部品と樹脂板とを用いる磁気コア部の製造方法について説明するための斜視図である。
【発明を実施するための形態】
【００１７】
図１を参照すると、本発明の一実施の形態によるインダクタ１０は、複数のコイル部２０と、これらコイル部２０に共通の磁性コア部３０とを有している一体インダクタである。本実施の形態において、コイル部２０の数は、二つである。但し、本発明は、これに限られない。コイル部２０の数は、三以上であってもよい。
【００１８】
図１に示されるように、複数のコイル部２０は、上下方向と直交する第１水平方向に沿って一列に並んでいる。本実施の形態において、上下方向はＺ方向であり、第１水平方向はＸ方向である。また、＋Ｚ方向が上方であり、−Ｚ方向が下方である。
【００１９】
図４を参照すると、インダクタ１０に含まれる磁性コア部３０は、上下方向と直交する上面３１０及び下面３２０を有する板状の磁性体である。上下方向において、磁性コア部３０のサイズ（厚み）は、２ｍｍ程度である。磁性コア部３０は、特に限定されないが、軟磁性金属粉末をバインダで結着させた複合磁性体であってよい。その場合、軟磁性金属粉末として、扁平形状を有する軟磁性金属粉末を用いることができ、バインダとして、無機酸化物、例えばケイ素酸化物を主成分とするものを用いることができる。絶縁性のバインダを用いることで、得られる磁性コア部３０の電気抵抗率を高く（例えば、１０ＫΩ・ｃｍ以上に）することができる。なお、磁性コア部３０の実効透磁率は、インダクタ１０の直流抵抗を抑制するため、５０以上であることが望ましい。また、磁性コア部３０の比透磁率は、後述するギャップ４０の存在を考慮して、１００以上であることが望ましい。
【００２０】
図４に示されるように、磁性コア部３０には、複数のピン孔３３０が形成されている。図２及び図３から理解されるように、ピン孔３３０は、上下方向において磁性コア部３０を貫通している。また、図４に示されるように、ピン孔３３０は、第１水平方向に沿って二列に配列されている。一方の列のピン孔３３０の夫々は、他方の列のピン孔３３０のいずれかと対をなす。換言すると、磁性コア部３０には、複数対のピン孔３３０が第１水平方向に沿って並ぶように形成されている。図３及び図４から理解されるように、複数対のピン孔３３０は、コイル部２０に夫々対応している。本実施の形態において、対をなす二つのピン孔３３０は、上下方向及び第１水平方向の双方と直交する第２水平方向に沿って並んでいる。但し、本発明は、これに限られない。対をなす二つのピン孔３３０は、第２水平方向に対して傾きを有する方向に並んでいてもよい。また、対をなす二つのピン孔３３０の並ぶ方向は、全ての対において一致していなくてもよい。換言すると、各対をなす二つのピン孔３３０が並ぶ方向は、他の対をなす二つのピン孔３３０が並ぶ方向に対して多少傾きを有していてもよい。なお、本実施の形態において、第２水平方向は、Ｙ方向である。
【００２１】
図４に示されるように、磁性コア部３０には、さらに複数のギャップ（空隙）４０が形成されている。複数のギャップ４０は、複数対のピン孔３３０に夫々対応している。これは、複数のギャップ４０がコイル部２０（図１参照）に夫々対応していることを意味する。複数のギャップ４０は、同一の形状及び同一のサイズを有していることが好ましい。これは、複数のコイル部２０を用いて形成される複数のインダクタ部の特性を互いに一致させるためである。
【００２２】
図２から図４までの図から理解されるように、ギャップ４０は、上下方向において磁性コア部３０を貫通している。さらに、本実施の形態において、ギャップ４０は、第２水平方向に沿って延びており、対応する対のピン孔３３０の間を接続している。図４から理解されるように、ギャップ４０の第１水平方向におけるサイズ（幅）は、第２水平方向におけるギャップ４０の一端から他端まで均一である。但し、本発明はこれに限られない。ギャップ４０の第１水平方向におけるサイズ（幅）は、必ずしも均一でなくてもよい。また、ギャップ４０の第１水平方向におけるサイズ（幅）は、ピン孔３３０のサイズ（内径）よりも小さい。なお、ギャップ４０の第１水平方向におけるサイズ（幅）は、例えば、０．１８ｍｍである。
【００２３】
ギャップ４０は、磁性コア部３０に対する低透磁率部として働く。換言すると、磁性コア部３０（インダクタ１０）は、複数の低透磁率部を備えている。但し、本発明において、低透磁率部はギャップ４０に限られない。本発明において、低透磁率部は、磁性コア部３０の透磁率よりも低い透磁率を有していればよく、ギャップ４０に代えて、軟磁性体又は非磁性体からなる低透磁率部材を設けてもよい。非磁性体からなる低透磁率部材として、例えば、後述する樹脂板５０（図８参照）を用いることができる。
【００２４】
図２及び図３に示されるように、コイル部２０の夫々は、入力端子２１０と、出力端子２２０と、第１連結ピン２３０と、第２連結ピン２４０と、上側導電体２５０とを有している。入力端子２１０及び出力端子２２０の夫々は板状であり、曲げ加工により形成された脚部２１２又は２２２を有している。第１連結ピン２３０及び第２連結ピン２４０の夫々は、円柱状の形状を有している。上側導電体２５０は、平板状の形状を有している。但し、本発明はこれに限らない。入力端子２１０及び出力端子２２０は、脚部を持たない平板状のものであってもよい。また、第１連結ピン２３０及び第２連結ピン２４０の形状は、角柱状であってもよい。
【００２５】
入力端子２１０、出力端子２２０、第１連結ピン２３０、第２連結ピン２４０及び上側導電体２５０の夫々の構成は、特に限定されないが、いずれも、銅をベースとし、表層に錫メッキが施されたものを用いることができる。ベースと錫メッキ層との間に、下地層として、ニッケルメッキ層や銅メッキ層が形成されていてもよい。第１連結ピン２３０及び第２連結ピン２４０の外径は、ピン孔３３０の内径より小さくてもよいし、わずかに大きくてもよい。また、第１連結ピン２３０及び第２連結ピン２４０の上下方向のサイズ（高さ）は、磁性コア部３０の上下方向のサイズ（厚み）と等しいか僅かに大きくてもよい。入力端子２１０及び出力端子２２０の夫々は、上下方向に沿ってみたときに、ピン孔３３０を覆う大きさを有している。また、上側導電体２５０は、上下方向に沿ってみたときに、ピン孔３３０の各対とそれらの間にあるギャップ４０とを覆う大きさを有している。
【００２６】
図１から図３までの図から理解されるように、入力端子２１０と出力端子２２０は、少なくとも部分的に磁性コア部３０の下面３２０上に位置している。また、上側導電体２５０は、少なくとも部分的に磁性コア部３０の上面３１０上に位置している。第１連結ピン２３０及び第２連結ピン２４０は、対をなすピン孔３３０（図４参照）内に配置されている。そして、第１連結ピン２３０は、上下方向において磁性コア部３０を貫通して、入力端子２１０と上側導電体２５０とを接続している。また、第２連結ピン２４０は、上下方向において磁性コア部３０を貫通して、出力端子２２０と上側導電体２５０とを接続している。こうして、コイル部２０は、第１連結ピン２３０と、上側導電体２５０と、第２連結ピン２４０とで、略３／４巻のコイルを形成している。
【００２７】
図１から図３までの図から理解されるように、複数のコイル部２０に用いられる全ての第１連結ピン２３０は、第１水平方向に並んでいる。同様に、全ての第２連結ピン２４０も、第１水平方向に並んでいる。さらに、全ての上側導電体２５０も第１水平方向に並んでいる。低透磁率部であるギャップ４０の夫々は、対応するコイル部２０の内側に配置され、第１連結ピン２３０から第２連結ピン２４０まで延びている。
【００２８】
図１から図３までの図から理解されるように、本実施の形態によるインダクタ１０において、複数のコイル部２０の巻軸（中心軸）は、全て第１水平方向に延びており、且つ相互に一致している。これにより、インダクタ１０の実装面積を、巻軸が互いに平行となるようにコイルが配置される従来のインダクタよりも小さくすることができる。
【００２９】
図５から理解されるように、一方のコイル部２０（図１参照）に通電したときに発生する磁束３００は、低透磁率部であるギャップ４０の存在により、他方のコイル部２０の内側を通過することが難しい。すなわち、一方のコイル部２０への通電により発生した磁束３００は、他方のコイル部２０とは鎖交し難い。その結果、本実施の形態によるインダクタ１０において、コイル部２０間の結合係数は小さい。したがって、コイル部２０の配置間隔をより小さくしても、各コイル部２０は隣接するコイル部２０の影響を受け難く、所望の機能を果たすことができる。換言すると、本実施の形態のインダクタ１０は、機能を低下させることなく、より小型化が可能である。なお、コイル部２０間の結合係数は、０．１以下が好ましいく、０．０１以下がより好ましい。
【００３０】
以下、インダクタ１０の製造方法の一例について説明する。まず、磁性コア部３０に用いられる軟磁性金属粉末を作製する。必要な磁気特性を得るため、軟磁性金属粉末の原料として、Ｆｅ系合金を用いる。Ｆｅ系合金の中でも、Ｆｅ−Ｓｉ系合金が好ましく、Ｆｅ−Ｓｉ−Ａｌ系合金（センダスト）又はＦｅ−Ｓｉ−Ｃｒ系合金がより好ましい。このような原料を用いて、アトマイズ法等の方法により軟磁性金属粉末を得る。続いて、得られた軟磁性金属粉末をボールミル等の扁平化装置を用いて扁平化する。こうして、扁平化した軟磁性金属粉末を得る。
【００３１】
次に、バインダと溶剤と増粘剤とを混合して絶縁性を有するバインダ混合物を作製する。ここで、バインダは無機酸化物を主成分とするものを用いることが好ましい。作製したバインダ混合物と扁平化した軟磁性金属粉末とを適度に混合して磁性塗料とする。ドクターブレード法やダイスロット法等を用いて磁性塗料を基板上に塗布し、加熱乾燥させて予備成型体（グリーンシート）を得る。得られた予備成型体を適切なサイズに切断する。切断後のシートを１枚もしくは複数枚積層して加圧成型し、成型体を作製する。このとき、扁平化された軟磁性金属粉末は、概ね面内方向に配向する。ここで、成型体の製造方法は、例えば特開２０１４−１６８０４１号公報に開示されている。
【００３２】
次に、フライス盤等を用いて、成型体にピン孔３３０及びギャップ４０を形成する。磁性コア部３０を作製するには、成型体を焼成する必要があるが、焼成後の成型体（焼結体）は機械的加工が困難である。一方、成型体への機械的加工は、比較的容易に行える。しかも、本実施の形態における成型体は、焼成による収縮が極めて小さい（０．１％以下）。そこで、本実施の形態では、成型体に対して機械的加工を行った後に焼成を行う。成型体に対して機械的加工を行った後に焼成を行っても、本実施の形態では、焼結後に機械的加工を行ったのと同等の加工精度を実現することができる。
【００３３】
成型体に対する機械的加工は、図４に示されるピン孔３３０とギャップ４０との組み合わせを形成するように行ってもよいが、図６に示されるように、成型体３４にピン孔３３０と部分ギャップ４１０との組み合わせを形成するように行ってもよい。図４のピン孔３３０及びギャップ４０は、上下方向と直交する水平方向において閉じている。これに対して、図６の部分ギャップ４１０は、第２水平方向において外側に開いている。そのため、切断ブレードなどを用いて加工することが可能であり、部分ギャップ４１０の形成はギャップ４０の形成に比べて容易である。部分ギャップ４１０及びピン孔３３０を形成した場合、その後に、図６に示される破線に沿って成型体３４を二分割する。図７から理解されるように、分割された部分成型体の縁部３４０同士を突き合わせれば、互いに対応する二つの部分ギャップ４１０が一つのギャップ４０を形成する。
【００３４】
次に、加工後の成型体を焼成して焼結体（磁性コア部３０）を得る。この焼成は、例えば、６００℃で行うことができる。成型体が分割されている場合は、部分成型体を夫々焼成して焼結体部品３６（図７参照）とした後、接着剤等を用いて焼結体部品３６を互いに接合して焼結体（磁性コア部３０）を得る。この焼成により、成型体に含まれるバインダの有機成分が分解して失われ、焼結体内部に開細孔（空孔）及び閉細孔（空孔）が形成される。バインダの無機成分は残存し、軟磁性金属粉同士を結着させる。こうして得られた本実施の形態における磁性コア部３０は、６０体積％以上の軟磁性金属粉末と、４体積％以上かつ３０体積％以下のバインダ成分と、１０体積％以上かつ３０体積％以下の開細孔と、僅かな体積％の閉細孔とを含んでいる。開細孔及び閉細孔の存在により、得られた焼結体（又は焼結体部品３６）は弾性を有する。焼結体のゴム硬度は、例えば、９２以上９６以下（ＩＳＯ７６１９−ｔｙｐｅＤ）であり、ヤング率は、例えば、１０ＧＰａ以上、９０ＧＰａ以下である。
【００３５】
本実施の形態において、磁性コア部３０は、上述したように、第２水平方向において二つの部品の組み合わせで構成されてよい。但し、本発明はこれに限られない。磁性コア部３０は、三以上の部品で構成されてもよい。しかしながら、製造の容易さを考慮すると磁性コア部３０を構成する部品の数は、二つが好ましい。
【００３６】
図７に示される二つの焼結体部品３６を互いに組み合わせる際、図８に示されるように、部分ギャップ４１０に樹脂板５０を差し込んでもよい。樹脂板５０の厚みは、部分ギャップ４１０の幅と等しいかわずかに大きいものとする。上述のように焼結体部品３６は、弾性を有しているので、樹脂板５０の厚みが部分ギャップ４１０の幅よりも大きくても、樹脂板５０を部分ギャップ４１０に差し込むことが可能である。また、樹脂板５０の固定に接着剤等を用いても良い。樹脂板５０を二つの焼結体部品３６の部分ギャップ４１０に差し込むことにより、二つの焼結体部品３６の相互の位置決めを容易に行うことができるとともに、二つの焼結体部品３６を互いに固定することができる。樹脂板５０は、焼結体部品３６から取り外されることなく、そのまま低透磁率部として利用することができる。換言すると、樹脂板５０は、二つの部品にまたがるように設けられた低透磁率部として利用できる。樹脂板５０を低透磁率部として利用する場合、樹脂板５０の長さ（本実施の形態においては、第２水平方向の長さ）は、二つの部分ギャップ４１０によって形成されるギャップ４０の長さに等しくすることが好ましい。そうすることで、樹脂板５０は、第１連結ピン２３０から第２連結ピン２４０まで延びることになる。
【００３７】
次に、磁性コア部３０のピン孔３３０に第１連結ピン２３０及び第２連結ピン２４０を挿入又は圧入する。第１連結ピン２３０及び第２連結ピン２４０の外径がピン孔３３０の内径よりも小さい場合、第１連結ピン２３０及び第２連結ピン２４０の夫々をピン孔３３０に容易に挿入することができる。また、第１連結ピン２３０及び第２連結ピン２４０の外径がピン孔３３０の内径よりも僅かに大きい場合であっても、磁性コア部３０の弾性変形により、第１連結ピン２３０及び第２連結ピン２４０を夫々ピン孔３３０に圧入することができる。この場合、第１連結ピン２３０及び第２連結ピン２４０は、磁性コア部３０によってピン孔３３０内に保持される。その結果、次工程において第１連結ピン２３０及び第２連結ピン２４０の姿勢を調整する必要がなくなり、次工程の実施が容易になる。なお、第１連結ピン２３０及び第２連結ピン２４０の外径は、第１水平方向におけるギャップ４０のサイズよりも大きい。これにより、第１連結ピン２３０及び第２連結ピン２４０がギャップ４０へ進入してピン孔３３０から脱落することが防止される。
【００３８】
次に、第１連結ピン２３０及び第２連結ピン２４０に、入力端子２１０、出力端子２２０及び上側導電体２５０を溶接する。詳しくは、磁性コア部３０の上面３１０上の所定位置に上側導電体２５０を配置し、磁性コア部３０の下面３２０上の所定位置に入力端子２１０及び出力端子２２０を夫々配置する。そして、抵抗溶接機を用いて、第１連結ピン２３０及び第２連結ピン２４０の夫々を、入力端子２１０及び出力端子２２０の一方と上側導電体２５０とに溶接する。こうして、入力端子２１０と第１連結ピン２３０との間、第１連結ピン２３０と上側導電体２５０との間、上側導電体２５０と第２連結ピン２４０との間、及び第２連結ピン２４０と出力端子２２０との間が、夫々、電気的かつ機械的に接続される。但し、本発明は、これに限られない。入力端子２１０、出力端子２２０及び上側導電体２５０は、抵抗溶接以外の方法、例えば、加圧接続法等の方法で第１連結ピン２３０及び第２連結ピン２４０に接続されてもよい。
【００３９】
以上により、インダクタ１０が完成する。インダクタ１０は、適切に機能する複数のコイル部２０を備えており、かつその実装面積が小さい。よって、インダクタ１０は、ＰＯＬ（Point Of Load）技術を採用する電源回路に含まれるインダクタとして、負荷のより近くに配置することが可能である。
【実施例】
【００４０】
インダクタ１０におけるギャップ４０の効果を確認するため、コイル部２０間の結合係数をシミュレーションにより求めた（実施例）。また、ギャップ４０を有していない点を除いて、インダクタ１０と同一の構成を持つインダクタについて、コイル部間の結合係数をシミュレーションにより求めた（比較例）。その結果を表１に示す。
【００４１】
【表１】
2019212806.tif 000003
【００４２】
表１に示されるように、磁心の透磁率が１のとき、実施例の結合係数と比較例の結合係数は、互いに等しい。そして、磁心の透磁率が大きくなると、実施例の結合係数と比較例の結合係数はともに低下する。しかしながら、磁心の透磁率の増加に対して、実施例の結合係数の低下の方が、比較例の結合係数の低下に比べて著しい。このことから、ギャップ４０の存在が、コイル部２０間の結合係数の低下に大きく貢献していることが理解できる。即ち、コイル部２０の内側に低透磁率部を配置することによって、巻軸を一致させるように配列された複数のコイル部２０間の結合係数を低減することができる。これにより、インダクタ１０の実装面積を低減することができる。
【００４３】
以上、本発明について実施の形態及び実施例を掲げて説明したが、本発明は、上記実施の形態及び実施例に限定されず、本発明の主旨を逸脱しない範囲において、種々の変形・変更が可能である。たとえば、コイル部２０の上側導電体２５０は、上下方向に沿って見たとき、角丸長方形の形状のものであってよい。また、入力端子２１０及び出力端子２２０は、第１連結ピン２３０及び第２連結ピン２４０にそれぞれ連続する円柱状又は角柱状のものであってよい。また、コイル部２０は、必ずしも別体の部品（入力端子２１０、第一連結ピン２３０、上側導電体２５０、第二連結ピン２４０及び出力端子２２０）を接合して形成する必要はなく、連続した導電体を曲げ加工によって形成してもよい。
【符号の説明】
【００４４】
１０    インダクタ
２０    コイル部
２１０    入力端子
２１２    脚部
２２０    出力端子
２２２    脚部
２３０    第１連結ピン
２４０    第２連結ピン
２５０    上側導電体
３０    磁性コア部
３４    成型体
３６    焼結体部品
３００    磁束
３１０    上面
３２０    下面
３３０    ピン孔
３４０    縁部
４０    ギャップ（低透磁率部）
４１０    部分ギャップ
５０    樹脂板
【図１】
2019212806.tif 000004
【図２】
2019212806.tif 000005
【図３】
2019212806.tif 000006
【図４】
2019212806.tif 000007
【図５】
2019212806.tif 000008
【図６】
2019212806.tif 000009
【図７】
2019212806.tif 000010
【図８】
2019212806.tif 000011